(57)【特許請求の範囲】
【請求項１】
目地部を介して設けられた一方の躯体より他方の躯体側へ突出された一方の床躯体と、この一方の床躯体の先端部の下部に先端部が位置するように、前記他方の躯体より突出された他方の床躯体と、前記一方の床躯体の底面に所定間隔で取付けられた前記他方の躯体方向へガイドする複数個のガイドレールと、この複数個のガイドレールにスライド移動可能に取付けられた、前記他方の床躯体の先端部上に先端部が位置する目地プレートと、この目地プレートを前記目地部が広くなるように両方の床躯体が揺れ動いた場合には、他方の床躯体の先端部と該目地プレートの先端部との間に隙間が生じることなく突出するようにスライド移動させ、目地部が狭くなる場合には他方の床躯体の先端部と目地プレートの先端部との重なり幅が大きくなるような移動を可能とする目地プレート移動手段とからなることを特徴とする床用目地装置。
【請求項２】
目地部を介して設けられた一方の躯体より他方の躯体側へ突出された一方の床躯体と、この一方の床躯体の先端部の下部に先端部が位置するように、前記他方の躯体より突出された他方の床躯体と、前記一方の床躯体の底面に所定間隔で取付けられた前記他方の躯体方向へガイドする複数個のガイドレールと、この複数個のガイドレールにスライド移動可能に取付けられた、前記他方の床躯体の先端部上に先端部が位置する目地プレートと、この目地プレートを前記目地部が広くなると該目地プレートの先端部と他方の床躯体の先端部とが重なり合う状態で引き出し、目地部が狭くなると撓む状態となって他方の床躯体の先端部が一方の床躯体の反先端部側への移動を可能にする一端部が前後方向にスライド移動可能なワイヤー、ロープ、可撓性バー等の牽引部材を用いた目地プレート移動手段とからなることを特徴とする床用目地装置。
【請求項３】
目地部を介して設けられた一方の躯体より他方の躯体側へ突出された一方の床躯体と、この一方の床躯体の先端部の下部に先端部が位置するように、前記他方の躯体より突出された他方の床躯体と、前記一方の床躯体の底面に所定間隔で取付けられた前記他方の躯体方向へガイドする複数個のガイドレールと、この複数個のガイドレールにスライド移動可能に取付けられた、前記他方の床躯体の先端部上に先端部が位置する目地プレートと、この目地プレートを前記目地部が広くなると該目地プレートの先端部と他方の床躯体の先端部とが重なり合う状態で引き出し、目地部が狭くなると撓む状態となって他方の床躯体の先端部が一方の床躯体の反先端部側への移動を可能にする一端部が前後方向にスライド移動可能なワイヤー、ロープ、可撓性バー等の牽引部材および前記目地プレートを、常時収納方向に付勢する付勢手段とを用いた目地プレート移動手段とからなることを特徴とする床用目地装置。
【発明の詳細な説明】
【技術分野】
【０００１】
本発明は目地部を突出床躯体で覆うことができる部位の床用目地装置に関する。
【背景技術】
【０００２】
従来、この種の目地装置は目地部を介して設けられた一方の躯体の上面よりも上部に位置する部位の、他方の躯体の外壁面に形成された目地部を覆う突出躯体と、前記一方の躯体の目地部側の上部に先端部が下方へ回動可能に取付けられたステップ板と、このステップ板を常時ほぼ水平状態に保持でき、前記目地部が狭くなると該ステップ板の先端部を下方へ回動可能に支持するステップ板支持機構と、このステップ板支持機構のステップ板をほぼ水平状態に保持する状態をロックするとともに、前記目地部が狭くなると前記他方の目地部側の躯体とステップ板が当接する前に当接するセンサーレバーの作動により、前記ロック状態を解除するロック機構とで構成されていた。
【０００３】
このため、地震等で目地部が広くなった場合に、目地部が開口するのを防止することができるが、構造が複雑で、コスト高になるという欠点があるとともに、収納状態ではステップ板、ステップ板支持機構、ロック機構が他方の目地部側の躯体に当接するような収納状態とはならず、目地部の幅寸法に近い移動量を吸収することができないという欠点があった。
【特許文献１】特許第３５８７３７４号
【発明の開示】
【発明が解決しようとする課題】
【０００４】
本発明は以上のような従来の欠点に鑑み、目地部が広くなった場合に、目地部が開口するのを確実に防止することができるとともに、構造が簡単で、低コストで設置することができるとともに、一方の躯体と他方の床躯体との先端部との間に目地部が狭くなる移動時の移動のじゃまになるのを最小限にして、最大の移動量を確保することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた一方の躯体より他方の躯体側へ突出された一方の床躯体と、この一方の床躯体の先端部の下部に先端部が位置するように、前記他方の躯体より突出された他方の床躯体と、前記一方の床躯体の底面に所定間隔で取付けられた前記他方の躯体方向へガイドする複数個のガイドレールと、この複数個のガイドレールにスライド移動可能に取付けられた、前記他方の床躯体の先端部上に先端部が位置する目地プレートと、この目地プレートを前記目地部が広くなるように両方の床躯体が揺れ動いた場合には、他方の床躯体の先端部と該目地プレートの先端部との間に隙間が生じることなく突出するようにスライド移動させ、目地部が狭くなる場合には他方の床躯体の先端部と目地プレートの先端部との重なり幅が大きくなるような移動を可能とする目地プレート移動手段とで床用目地装置を構成している。
【発明の効果】
【０００７】
以上の説明から明らかなように、本発明にあっては次に列挙する効果が得られる。
【０００８】
（１）目地部を介して設けられた一方の躯体より他方の躯体側へ突出された一方の床躯体と、この一方の床躯体の先端部の下部に先端部が位置するように、前記他方の躯体より突出された他方の床躯体と、前記一方の床躯体の底面に所定間隔で取付けられた前記他方の躯体方向へガイドする複数個のガイドレールと、この複数個のガイドレールにスライド移動可能に取付けられた、前記他方の床躯体の先端部上に先端部が位置する目地プレートと、この目地プレートを前記目地部が広くなるように両方の床躯体が揺れ動いた場合には、他方の床躯体の先端部と該目地プレートの先端部との間に隙間が生じることなく突出するようにスライド移動させ、目地部が狭くなる場合には他方の床躯体の先端部と目地プレートの先端部との重なり幅が大きくなるような移動を可能とする目地プレート移動手段とで構成されているので、目地プレートを一方の床躯体の底面に所定間隔で取付けられた複数個のガイドレールで、他方の躯体方向へ突出するようにスライド移動可能に支持することができる。
したがって、支持構造が簡単で、容易に設置することができる。
【０００９】
（２）前記（１）によって、目地プレート移動手段によって、目地部が広くなっても目地プレートを他方の躯体側へ突出させて、隙間が生じるのを確実に防止することができる。
したがって、安全に使用することができる。
【００１０】
（３）前記（１）によって、構造が簡単で、一方の躯体と他方の床躯体の先端部との間に、目地部が狭くなる場合の移動を阻止する部材を配置しなくてもよく、最大の移動量の確保ができる。
【００１１】
（４）請求項２も前記（１）〜（３）と同様な効果が得られる。
【００１２】
（５）請求項３も前記（１）〜（３）と同様な効果が得られるとともに、目地プレートを常時収納状態に位置させることができる。
したがって、美観の向上を図ることができる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は目地部２を介して設けられた躯体３、３間の床目地部２を覆う本発明の床用目地装置で、この床用目地装置１は前記一方の躯体３より他方の躯体３側へ、前記目地部２のほぼ中央部まで突出された一方の床躯体４と、この一方の床躯体４の先端部の下部に先端部が位置するように、前記他方の躯体３より突出された他方の床躯体５と、前記一方の床躯体４の底面に所定間隔で固定された前記他方の躯体３方向へガイドする複数個のガイドレール６と、この複数個のガイドレール６にスライド移動可能に取付けられた、前記他方の床躯体５の先端部上に先端部が位置する目地プレート７と、この目地プレート７を目地部が広くなると突出する方向へスライド移動させ、目地部が狭くなるとその移動を阻止することのない目地プレート移動手段８とで構成されている。
【００１５】
前記複数個のガイドレール６は図３に示すように、ハット形鋼形状のガイドレール本体９と、このガイドレール本体９の両端部より上方へ突出された突出片１０、１０により形成したレール部１１、１１と、前記ガイドレール本体９のほぼ中央部に形成された、該ガイドレール本体９を前記一方の床躯体４に複数本のアンカーボルト等のボルト１２、１２で固定するためのボルト挿入孔１３、１３とで構成されている。
【００１６】
前記目地プレート７は図４に示すように、前記ガイドレール６、６間をスライド移動可能に覆うことができる目地プレート本体１４と、この目地プレート本体１４の両側部に形成された前記ガイドレール６、６のレール部１１、１１に係止され、該レール部１１、１１上をスライド移動する係止片１５、１５とで構成されている。
【００１７】
前記目地プレート移動手段８は図５に示すように、前記目地プレート７の先端部の底面に取付けられた、前記他方の床躯体５上を転動するローラ１６と、前記目地プレート７の後端部の底面に下方へ突出するように形成された一対のアーム１７、１７、この一対のアーム１７、１７の下端部寄りの部位に両端部が固定された丸パイプ、丸棒等のバー部材１８とからなる支持体１９と、この支持体１９のバー部材１８に移動可能な丸環２０を介して一端部が取付けられ、他端部が前記他方の床躯体５の先端部に通常時には遊びのない状態で固定されたワイヤー、ロープ、可撓性バー等の牽引部材２１と、前記目地プレート７を常時収納方向に付勢する一端部が目地プレート７の底面に固定され、他端部が該一端部の固定部と対応する部位の、前記一方の躯体３に取付けられたガイドローラ２２、２３を介して、該一方の躯体３に固定されたワイヤー２４に、コイルスプリング２５を取付けた付勢手段２６とで構成されている。
【００１８】
上記構成の床用目地装置１は通常時には図１および図２に示すように、一方の床躯体４の下部に目地プレート７が収納された状態で他方の床躯体５とで目地部２を覆っている。
地震等によって目地部２が広くなるように揺れ動いた場合には、図６に示すように付勢手段２６の付勢力に抗して、牽引部材２１によって目地プレート７を一方の床躯体４より引き出し、目地部２に隙間が生じるのを阻止し、目地部２が元の状態に戻ると目地プレート７を付勢手段２６によって一方の床躯体４の下部へ収納する。
また、目地部２が狭くなるように揺れ動いた場合には、図７に示すように牽引部材２１が撓む状態となり、他方の床躯体５の一方の躯体３側への移動を阻止するのを防止して、最大の移動量を確保することができる。
さらに、一方の躯体３と他方の躯体３が前後方向に揺れ動いた場合には、図８に示すように支持体１９のバー部材１８に沿って牽引部材２１の丸環２０が前後方向に移動して、その揺れ動きを吸収することができる。
[発明を実施するための異なる形態]
【００１９】
次に、図９ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１３に示す本発明を実施するための第２の形態において、前記本発明を実施するための最良の第１の形態と主に異なる点は、他方の床躯体５の先端部に上方へ突出する上部が円弧形状の突起２７と、この突起２７と目地部２が広くなる場合に係止される目地プレート７の先端部に下方へ突出する係止片２８とを備える目地プレート移動手段８Ａを用いた点で、このような目地プレート移動手段８Ａを用いて構成した床用目地装置１Ａにしても、前記本発明を実施するための最良の第１の形態と同様な作用効果が得られる。
【００２１】
図１４ないし図１６に示す本発明を実施するための第３の形態において、前記本発明を実施するための最良の第１の形態と主に異なる点は、ワイヤー２４をガイドローラ２２、２３、２９を介して重り３０を取付けた付勢手段２６Ａを用いた点で、このような付勢手段２６Ａを用いて構成した床用目地装置１Ｂにしても前記本発明を実施するための最良の第１の形態と同様な作用効果が得られる。
【００２２】
図１７ないし図２０示す本発明を実施するための第４の形態において、前記本発明を実施するための最良の第１の形態と主に異なる点は、Ｔ字状のガイドレール本体９Ａと、このガイドレール本体９Ａの下端部の両側にレール部１１、１１が形成されるように一体成型されたチャンネル状の支持部３１と、この支持部３１のレール部１１、１１の底面に取付けられた目地プレート７の係止片１５、１５をスムーズにスライド移動させる多数個のローラ３２、３２とからなるガイドレール６Ａを用いた点で、このようなガイドレール６Ａを用いて構成した床用目地装置１Ｃにしても、前記本発明を実施するための最良の第１の形態と同様な作用効果が得られるとともに、目地プレート本体１４、１４間の隙間が小さくでき、かつ目地プレート７をよりスムーズに移動させることができる。
【００２３】
図２１ないし図２３に示す本発明を実施するための第５の形態において、前記本発明を実施するための最良の第１の形態と主に異なる点は、目地プレート７の後端部寄りの底面に牽引部材２１の一端部を固定し、他端部を他方の床躯体５の先端部に取付けられたガイドレール３３に沿ってスライド移動できるスライダー３４に取付けた目地プレート移動手段８Ｂを用いた点で、このような目地プレート移動手段８Ｂを用いて構成した床用目地装置１Ｄにしても、前記本発明を実施するための最良の第１の形態と同様な作用効果が得られる。
【００２４】
なお、前記本発明を実施する各形態の目地プレート７の係止片１５、１５の下部に多数個のローラ３２、３２を取付けても、同様にレール部１１、１１をスムーズにスライド移動させることができる。
また、目地プレート７が他方の床躯体５上に先端部が突出した状態になっていても問題にならない場合には、付勢手段２６、２６Ａを用いない床用目地装置にしてもよい。
【産業上の利用可能性】
【００２５】
本発明は床用目地装置を製造する産業で利用される。
【図面の簡単な説明】
【００２６】
【図１】本発明を実施するための最良の第１の形態の平面図。
【図２】図１の２−２線に沿う拡大断面図。
【図３】本発明を実施するための最良の第１の形態のガイドレールの説明図。
【図４】本発明を実施するための最良の第１の形態の目地プレートの説明図。
【図５】本発明を実施するための最良の第１の形態の目地プレート移動手段の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の前後方向の動作説明図。
【図９】本発明を実施するための第２の形態の平面図。
【図１０】図９の１０−１０線に沿う拡大断面図。
【図１１】図１０の１１−１１線に沿う断面図。
【図１２】本発明を実施するための第２の形態の目地部が広くなった動作説明図。
【図１３】本発明を実施するための第２の形態の目地部が狭くなった動作説明図。
【図１４】本発明を実施するための第３の形態の平面図。
【図１５】図１４の１５−１５線に沿う拡大断面図。
【図１６】図１５の１６−１６線に沿う断面図。
【図１７】本発明を実施するための第４の形態の平面図。
【図１８】図１７の１８−１８線に沿う拡大断面図。
【図１９】図１７の１９−１９線に沿う拡大断面図。
【図２０】本発明を実施するための第４の形態のガイドレールの説明図。
【図２１】本発明を実施するための第５の形態の平面図。
【図２２】図２１の２２−２２線に沿う拡大断面図。
【図２３】本発明を実施するための第５の形態のガイドレールの説明図。
【符号の説明】
【００２７】
１、１Ａ、１Ｂ、１Ｃ、１Ｄ：床用目地装置、
２：目地部、                  ３：躯体、
４：一方の床躯体、            ５：他方の床躯体、
６、６Ａ：ガイドレール、      ７：目地プレート、
８、８Ａ、８Ｂ：目地プレート移動手段、
９、９Ａ：ガイドレール本体、  １０：突出片、
１１：レール部、              １２：ボルト、
１３：ボルト挿入孔、          １４：目地プレート本体、
１５：係止片、                １６：ローラ、
１７：アーム、                １８：バー部材、
１９：支持体、                ２０：丸環、
２１：牽引部材、              ２２、２３：ガイドローラ、
２４：ワイヤー、              ２５：コイルスプリング、
２６、２６Ａ：付勢手段、      ２７：突起、
２８：係止片、                ２９：ガイドローラ、
３０：重り、                  ３１：支持部、
３２：ローラ、                ３３：ガイドレール、
３４：スライダー。
【図１】
0004475589.tif 000002
【図２】
0004475589.tif 000003
【図３】
0004475589.tif 000004
【図４】
0004475589.tif 000005
【図５】
0004475589.tif 000006
【図６】
0004475589.tif 000007
【図７】
0004475589.tif 000008
【図８】
0004475589.tif 000009
【図９】
0004475589.tif 000010
【図１０】
0004475589.tif 000011
【図１１】
0004475589.tif 000012
【図１２】
0004475589.tif 000013
【図１３】
0004475589.tif 000014
【図１４】
0004475589.tif 000015
【図１５】
0004475589.tif 000016
【図１６】
0004475589.tif 000017
【図１７】
0004475589.tif 000018
【図１８】
0004475589.tif 000019
【図１９】
0004475589.tif 000020
【図２０】
0004475589.tif 000021
【図２１】
0004475589.tif 000022
【図２２】
0004475589.tif 000023
【図２３】
0004475589.tif 000024